(57)【要約】【課題】色再現範囲を広くしつつ、明るさ（輝度）を減ずることなく、照明による外光の反射を防止してコントラスト比を向上させることを実現するガス放電表示装置を提供する。【解決手段】ガス放電表示装置１００の構成要素である光学フィルタ部１０１の光学フィルタ１０１ａは、波長５５０ｎｍから波長６２０ｎｍの間で光を選択的に吸収する吸収領域を有しており、この吸収領域内における吸収ピークの透過率ＴＰが可視光領域における平均透過率ＴＶの２０％〜６０％の範囲内である。【選択図】　図１
2004101916.tif 000002
【特許請求の範囲】
【請求項１】
ネオン及びヘリウムのうち少なくとも一方を含むガスを用いてガス放電を生じさせ、発光色の異なる第１、第２、及び第３の蛍光体を発光させてカラー画像を表示するガス放電表示部と、
ガス放電空間の前面で表示画面の全体と重なるように設けられる光学フィルタ部と
を含み、
前記光学フィルタ部は、波長５５０ｎｍから波長６２０ｎｍの間で光を選択的に吸収する吸収領域を有しており、前記吸収領域内における吸収ピークの透過率ＴＰと可視光領域における平均透過率ＴＶとの間の半値の透過率ＴＨ（ＴＨ＝（ＴＰ＋ＴＶ）／２）における前記吸収領域の幅ＷＨが３０ｎｍ以上であることを特徴とするガス放電表示装置。
【請求項２】
ネオン及びヘリウムのうち少なくとも一方を含むガスを用いてガス放電を生じさせ、発光色の異なる第１、第２、及び第３の蛍光体を発光させてカラー画像を表示するガス放電表示部と、
ガス放電空間の前面で表示画面の全体と重なるように設けられる光学フィルタ部と
を含み、
前記光学フィルタ部は、波長５５０ｎｍから波長６２０ｎｍの間で光を選択的に吸収する吸収領域を有しており、前記吸収領域内における吸収ピークの透過率ＴＰが可視光領域における平均透過率ＴＶの２０％〜６０％の範囲内であることを特徴とするガス放電表示装置。
【請求項３】
ネオン及びヘリウムのうち少なくとも一方を含むガスを用いてガス放電を生じさせ、発光色の異なる第１、第２、及び第３の蛍光体を発光させてカラー画像を表示するガス放電表示部と、
ガス放電空間の前面で表示画面の全体と重なるように設けられる光学フィルタ部と
を含み、
前記光学フィルタ部は、波長５５０ｎｍから波長６２０ｎｍの間で光を選択的に吸収する吸収領域を有しており、波長５５０ｎｍから波長６２０ｎｍの間の平均透過率ＴＡＣが可視光領域における平均透過率ＴＶの６０％〜８５％の範囲内であることを特徴とするガス放電表示装置。
【請求項４】
前記光学フィルタ部は、波長５５０ｎｍにおける透過率Ｔ５５０及び波長６２０ｎｍにおける透過率Ｔ６２０の半値の領域幅が２０ｎｍ以上であることを特徴とする請求項１又は２に記載のガス放電表示装置。
【請求項５】
前記ガス放電表示部は、前記第１の蛍光体が発光する波長のピークが５２３ｎｍ〜５３８ｎｍの範囲内にあり、第２の蛍光体が発光する波長のピークが５８９ｎｍ〜５９５ｎｍ、６０７ｎｍ〜６１３ｎｍ、及び６２３ｎｍ〜６２９ｎｍの範囲内にあることを特徴とする請求項１〜４のいずれか１項に記載のガス放電表示装置。
【請求項６】
前記光学フィルタ部は、光学フィルムと、前記ガス放電表示部を保護し前記光学フィルムの前面に設けられる透明基板とを含み構成されていることを特徴とする請求項１〜５のいずれか１項に記載のガス放電表示装置。
【請求項７】
前記光学フィルムと前記透明基板とが密着するとともに、前記光学フィルムと前記ガス放電表示部とが密着して設けられていることを特徴とする請求項６に記載のガス放電表示装置。
【請求項８】
前記光学フィルムと前記透明基板とが密着するとともに、前記光学フィルムと前記ガス放電表示部とが離間して設けられていることを特徴とする請求項６に記載のガス放電表示装置。
【請求項９】
前記光学フィルムと前記透明基板とが離間するとともに、前記光学フィルムと前記ガス放電表示部とが密着して設けられていることを特徴とする請求項６に記載のガス放電表示装置。
【請求項１０】
前記光学フィルムは、特定の波長の光を吸収する物質が分散した有機樹脂からなることを特徴とする請求項６〜９のいずれか１項に記載のガス放電表示装置。
【請求項１１】
前記光学フィルタ部の前面に反射防止膜が設けられていることを特徴とする請求項１〜１０のいずれか１項に記載のガス放電表示装置。
【発明の詳細な説明】
【０００１】
【発明の属する技術分野】
本発明は、ネオン及びヘリウムのうち少なくとも一方を含むガスを用いてガス放電を生じさせ、カラー画像の表示を行うガス放電表示装置に関する。
【０００２】
【従来の技術】
近時では、ガス放電表示装置において、可視光のうちガスの発光波長の光を選択的に吸収する光学フィルタを備えたものが開発されており（例えば特許文献１〜５、非特許文献１，２参照）、特に、色再現範囲を大きくするため、透過特性が波長５５０ｎｍから６２０ｎｍの範囲内で吸収ピークを持つ光学フィルタを備えたガス放電表示装置が案出されている（例えば特許文献１参照）。
【０００３】
【特許文献１】
特開２０００−２８４７０４号公報
【特許文献２】
特開２０００−１１９０１号公報
【特許文献３】
特開２００１−１３８７７号公報
【特許文献４】
特開２００１−１６６７０８号公報
【特許文献５】
特開２００２−１３７２９０号公報
【非特許文献１】
Ｔ．ｋｏｓａｋａ，　Ｎ．Ｉｗａｓｅ，　Ｓ．Ｆｕｊｉｍｏｔｏ，　Ｔ．Ｍａｓｕｄａ，　Ｋ．Ｏｈｉｒａ，　Ｍ．Ａｍａｔｓｕ，　Ｆ．Ｎａｍｉｋｉ，　Ｍ．Ｉｓｈｉｇａｋｉ，　Ｈ．Ｏｈｔａｋａ，　Ｙ．Ｋｉｍｕｒａ，　Ｊ．Ｏｋａｙａｓｕ，　Ｎ．Ｍａｔｓｕｉ，　Ｋ．Ｕｍｅｈａｒａ，　Ｔ．Ｋｉｓｈｉ，　Ｋ．Ｋａｒｉｙａ，　Ｈ．Ｏｈｋｉ，　Ｋ．Ｉｒｉｅ；　Ｄｅｖｅｌｏｐｍｅｎｔ　ｏｆ　ａ　Ｈｉ−Ｄｅｍｅｎｓｉｏｎ　３２−ｉｎ．　ＰＤＰ，　ＳＩＤ　０１　Ｉｎｔｌ，　ｐｐ．　１２２４−１２２７，　２００１．
【非特許文献２】
Ｋ．Ｉｒｉｅ，　Ｆ．Ｎａｍｉｋｉ，　Ｋ．Ｋａｒｉｙａ，　Ｈ．Ｉｎｏｕｅ，　Ｔ．Ａｎｄｏ，　Ｔ．Ｈａｒａｄａ，　Ｔ．Ｎａｋａｍｕｒａ，　Ｙ．Ｓｈｉｎａｇａｗａ；　ＩＤＷ　’００，　ｐｐ．　１１７３−１１７４，　２０００．
【０００４】
【発明が解決しようとする課題】
しかしながら、上記のガス放電表示装置によれば、光学フィルタの透過率が小さいほどコントラスト比が改善される反面、表示装置の明るさが小さくなるという問題がある。
【０００５】
そこで本発明は、色再現範囲を広くしつつ、明るさ（輝度）を減ずることなく、照明による外光の反射を防止してコントラスト比を向上させることを実現するガス放電表示装置を提供することを目的とする。
【０００６】
【課題を解決するための手段】
本発明者は、鋭意検討の結果、以下に示す発明の諸態様に想到した。
【０００７】
本発明のガス放電表示装置は、ネオン及びヘリウムのうち少なくとも一方を含むガスを用いてガス放電を生じさせ、発光色の異なる第１、第２、及び第３の蛍光体を発光させてカラー画像を表示するガス放電表示部と、ガス放電空間の前面で表示画面の全体と重なるように設けられる光学フィルタ部とを含み、前記光学フィルタ部は、波長５５０ｎｍから波長６２０ｎｍの間で光を選択的に吸収する吸収領域を有しており、前記吸収領域内における吸収ピークの透過率ＴＰと可視光領域における平均透過率ＴＶとの間の半値の透過率ＴＨ（ＴＨ＝（ＴＰ＋ＴＶ）／２）における前記吸収領域の幅ＷＨが３０ｎｍ以上である。
【０００８】
本発明のガス放電表示装置の他の態様は、ネオン及びヘリウムのうち少なくとも一方を含むガスを用いてガス放電を生じさせ、発光色の異なる第１、第２、及び第３の蛍光体を発光させてカラー画像を表示するガス放電表示部と、ガス放電空間の前面で表示画面の全体と重なるように設けられる光学フィルタ部とを含み、前記光学フィルタ部は、波長５５０ｎｍから波長６２０ｎｍの間で光を選択的に吸収する吸収領域を有しており、前記吸収領域内における吸収ピークの透過率ＴＰが可視光領域における平均透過率ＴＶの２０％〜６０％の範囲内である。
【０００９】
ネオン及びヘリウムのうち少なくとも一方を含むガスを用いてガス放電を生じさせ、発光色の異なる第１、第２、及び第３の蛍光体を発光させてカラー画像を表示するガス放電表示部と、ガス放電空間の前面で表示画面の全体と重なるように設けられる光学フィルタ部とを含み、前記光学フィルタ部は、波長５５０ｎｍから波長６２０ｎｍの間で光を選択的に吸収する吸収領域を有しており、波長５５０ｎｍから波長６２０ｎｍの間の平均透過率ＴＡＣが可視光領域における平均透過率ＴＶの６０％〜８５％の範囲内である。
【００１０】
【発明の実施の形態】
以下、本発明の具体的な実施形態について図面を参照しながら詳細に説明する。
【００１１】
−ガス放電表示装置の概略構成−
図１は、本実施形態によるガス放電表示装置の概略構成を示す断面図である。このガス放電表示装置１００は、カラー画像を表示するガス放電表示部１０１と、可視光のうちガスの発光波長の光を選択的に吸収する光学フィルタ部１０２と、ガス放電表示部１０１及び光学フィルタ部１０２が表示面を開口するように収納される外装カバー部１０３とを備えて構成されている。
【００１２】
ガス放電表示部１０１は、ガスが放電によって画像を表示する表示パネル１０１ａと、表示内容に応じて表示パネル１０１ａのセルを点灯させる駆動回路１０１ｂとを備えて構成されている。
【００１３】
光学フィルタ部１０２は、後述するように本発明に特有の分光透過特性を有する光学フィルム１０２ａと、ガス放電表示部１０１の表示パネル１０１ａを保護し光学フィルム１０２ａの基板となる前面板１０２ｂを備えて構成されている。前面板１０２ｂは可視光に対して透明であり、電磁波シールド膜や赤外線除去膜、表面処理による反射防止膜が形成されてなるものであり、前面板１０２ｂの材料としてはガラス、アクリル樹脂、ポリカーボネートなどが好適である。
【００１４】
光学フィルタ部１０２は、ガス放電表示部１０１における赤、緑、青のセルの集合体である画画の全体に広がる大きさを有し、表示パネル１０１ａの前面に密接している。光学フィルム１０２ａの形成方法としては、フィルタ膜を積層したフィルムの貼り付け、色素又は顔料を分散させたフィルムの貼り付け、薄膜技術による多層干渉膜の積層等がある。光学フィルム１０２ａは、表示部の１０１ａの前面に対して直接貼り付けや積層を行ってもよいし、前面板１０２ｂに形成して表示パネル１０１ａと重ね合わせてもよい。光学フィルム１０２ａ及び前面板１０２ｂの光学的透過特性は画面全体に渡って均一とされている。
【００１５】
図２は、本実施形態によるガス放電表示装置の他の例を示す断面図である。
図２（ａ）のガス放電表示装置１００ａにおいて、光学フィルム１０２ａは前面板１０２ｂの背面に密接し、表示パネル１０１ａと離間して配置されている。この構成では、外部からの衝撃を前面板１０２ｂが吸収してガス放電表示部１０１の破壊防止効果が大きい長所がある。また、表示パネル１０１ａと光学フィルタ部１０２（光学フィルム１０２ａ付き前面板１０２ｂ）との間隙を空気の流通路として利用し、そこに外気や冷却ファンなどによる冷却風を流通させて、ガス放電表示部１０１自体の温度の上昇を抑える効果も期待できる。
【００１６】
図２（ｂ）のガス放電表示装置１００ｂにおいて、光学フィルム１０２ａは表示パネル１０１ａに密接し、前面板１０２ｂの保護効果を高めるために光学フィルム１０２ａと離間して配置されている。
【００１７】
以上の３つの配置例では、光学フィルム１０２ａの配置位置が表示パネル１０１ａと前面板１０２ｂとの間であるが、光学フィルム１０２ａを前面板１０２ｂの前側に配置しても良い。更に表示部１０１ａの発光部分の前面であれば任意の部位に配置して良く、例えば表示部１０１ａの内部に光学フィルム１０２ａを形成しても良い。
【００１８】
図３は、本実施形態によるガス放電表示装置の表示パネル１の内部構造を示す分解斜視図である。
表示パネル１は、点灯維持放電を生じさせるための電極対をなす第１及び第２の主電極Ｘ，Ｙが平行配置され、各セル（表示素子）において主電極Ｘ，Ｙと第３の電極であるアドレス電極Ａとが交差する３電極面放電構造を持つ。主電極Ｘ，Ｙは画面のライン方向（水平方向）に延び、第２の主電極Ｙはライン単位にセルを選択するための走査電極として用いられる。アドレス電極Ａは列方向（垂直方向）に延びており、列単位にセルを選択するためのデータ電極として用いられる。表示部分は主電極とアドレス電極とが交差する範囲である。
【００１９】
表示パネル１には、前面側基板構造体１０の基材であるガラス基板１１の内側に、ライン毎に一対の主電極Ｘ，Ｙが配置されている。ラインは画面における水平方向のセル列である。
【００２０】
主電極Ｘ，Ｙは、それぞれ透明導電膜４１と金属膜（バス導体）４２とからなり、低融点ガラスからなる厚さ３０μｍ程度の誘電体層１７で被覆されている。誘電体層１７の表面にはマグネシア（ＭｇＯ）からなる厚さ数百ｎｍの保護膜１８が設けられている。アドレス電極Ａは背面基板構造体２０の基材であるガラス基板２１の内側に配列されており、厚さ１０μｍ程度の誘電体層２４によって被覆されている。誘電体層２４上には、高さ１５０μｍの平面視直線帯状の隔壁２９が各アドレス電極Ａの間に１つずつ設けられている。これらの隔壁２９によって、放電空間３０が行方向にサブピクセル（単位発光領域）毎に区画され、且つ放電空間３０の間隙寸法が規定されている。そして、アドレス電極Ａの上方及び隔壁２９の側面を含めて背面側の内面を被覆するように、カラー表示のための赤色蛍光体２８Ｒ、緑色蛍光体２８Ｇ、青色蛍光体２８Ｂがライン方向に３色が繰り返し並ぶパターンで配置されている。これらの蛍光体２８Ｒ，２８Ｇ，２８Ｂについては、それぞれ最大輝度で発光させたときに白色が再現される様に材料の選択が行われており、形成形状は全て同一である。蛍光体材料の好適例を以下の表１に示す。
【００２１】
【表１】
2004101916.tif 000003
【００２２】
放電空間３０には、主成分のネオンにキセノン（４〜５％）混合させた放電ガスが充填されており、各色の蛍光体２８Ｒ，２８Ｇ，２８Ｂは、放電時にキセノンが放つ紫外線によって局部的に励起されて発光する。本実施形態のガス放電表示装置１においては、Ｒ，Ｇ，Ｂの色バランスを光学フィルム１０２ａの特性によって調整することができる。従って、色バランスを最適化するために蛍光体材料を厳密に選定したり、蛍光体形状を色毎に調整したりする必要はない。
【００２３】
表示の１ピクセル（両素）は、行方向に並んだ発光色の異なる３個のサブピクセルで構成される。各サブピクセル内の構造体がセルである。隔壁２９の配置パターンがストライプパターンであることから、放電空間３０のうち各列に対応した部分は全てラインに跨って列方向に連続している。隣り合うライン同士の電極間隙は、面放電ギャップ（例えば８０μｍ〜１４０μｍの範囲内の値）より充分大きく、列方向の放電結合を防ぐことのできる値（例えば４００μｍ〜５００μｍの範囲内の値）に選定される。点灯すべきセル（書込みアドレス形式の場合）又は点灯すべきでないセル（消去アドレス形式）における主電極Ｙとアドレス電極Ａとの間で、アドレス放電を生じさせてライン毎に点灯すべきセルのみに適量の電荷の存在する帯電状態を形成した後、主電極Ｘ，Ｙ間に点灯維持電圧Ｖｓを印加することにより、点灯すべきセルで基板面に沿った面放電を生じさせることができる。
【００２４】
なお、上記のようなストライブリブの替わりに、格子状のリブを用い、各セルを完全に分離する構造を採用しても良い。
【００２５】
−光学フィルタ部の諸特性−
以下、光学フィルタ部１０２の主要構成をなす光学フィルム１０２ａの諸特性を説明する。以下の説明では、放電ガスとして図６に示したスペクトル分布の発光が生じる組成のＮｅ−Ｘｅ（４％）・ペニングガスを用いるものとする。但しヘリウム（Ｈｅ）又はクリフトン（Ｋｒ）を含むガスであれば、ネオンの含有の有無に係わらず放電ガスとしての適用が可能である。
【００２６】
図４は、ガス放電表示部１０１で青色表示、緑色表示及び赤色表示のときの発光スペクトルを示す特性図である。
青色蛍光体（第３の蛍光体）２８Ｂのみを発光させたときの発光スペクトラムを見ると４４５ｎｍにピークを持ち、緑色蛍光体（第１の蛍光体）２８Ｇのみを発光させたときの発光スペクトラムを見ると５２３ｎｍ〜５３８ｎｍの範囲内で５２５ｎｍにピークを持ち、赤色蛍光体（第２の蛍光体）２８Ｒのみを発光させたときの発光スペクトラムを見ると５８９ｎｍ〜５９５ｎｍの範囲内で５９５ｎｍ、６０７ｎｍ〜６１３ｎｍの範囲内で６１０ｎｍ、及び６２３ｎｍ〜６２９ｎｍの範囲内で６２５ｎｍの三波長にピークを持つ分布にそれぞれなっている。
【００２７】
図５は、青色蛍光体、緑色蛍光体、赤色蛍光体を同時に発光させたとき、即ち白色表示をさせたときの発光スペクトラムを示す特性図である。
上述の青色表示、緑色表示、赤色表示をさせたときの発光強度のピーク値及びその波長は同じである。
【００２８】
ガス放電表示部の表示パネルにおける発光輝度をＬｏ、光学フィルタ部１０２の透過率をＴ、光学フィルタ部の前面における照明による外光の照度をＳ、表示パネルにおける反射率をＲとした場合、明室コントラスト比は次式で表せる。
コントラスト比
＝光学フィルタ部透過後の表示部の発光輝度／外光反射光の輝度
＝（ＬｏＴ＋Ｓ／（πＲＴ２））／（Ｓ／（πＲＴ２））
＝（Ｌｏ＋Ｓ／（πＲＴ））／（Ｓ／（πＲＴ））
＝Ｌｏ／（Ｓ／（πＲＴ））＋１
【００２９】
ここで、反射率Ｒ及び外光照度Ｓが一定と仮定すると、照明の下でガス放電表示装置におけるコントラスト比（明室コントラスト比）は発光輝度、Ｌｏが大きいほど、また透過率Ｔが小さいほど大きくなることが判る。
【００３０】
しかしながら、透過率Ｔが小さいほど、表示部が発光し光学フィルタ部を透過した光の強度（ガス放電表示装置の明るさ）も小さくなることも判る。即ち、光学フィルムの透過率Ｔが大きいほうがガス放電表示装置の輝度が大きくなり、ガス放電表示装置の明室コントラスト比を大きくすることと輝度を大きくすることは、相反する関係にあることが判る。
【００３１】
図７は、一般家庭用に市販されている代表的な照明用発光ランプの発光スペクトラムを示す特性図である。
照明用発光ランプの発光スペクトラムで三波長蛍光ランプの場合、４３０ｎｍ〜４４０ｎｍ、４８０ｎｍ〜５００ｎｍ、５３５ｎｍ〜５６０ｎｍ、５７５ｎｍ〜６００ｎｍ、６０５ｎｍ〜６３５ｎｍに発光強度が大きく、白色蛍光灯の場合、４３０ｎｍ〜４４０ｎｍ、５４０ｎｍ〜６３０ｎｍ辺りで発光強度が大きい。その中で、５４５ｎｍ〜５５５ｎｍと５７０ｎｍ〜５８０ｎｍは特に発光強度の増大が見られる。
【００３２】
光学フィルムの可視光波長領域全域でその透過率を小さくすることにより、照明による外光を吸収できる。更にこれに加え、光学フィルムはこれら照明用蛍光ランプの発光強度が大きい所定の波長幅の透過率を選択的に小さくすることにより、外光を効率良く吸収することができる。
【００３３】
図７に示す白表示の発光スペクトラムにおいて、青色蛍光体、緑色蛍光体、赤色蛍光体が発光するときの発光強度が大きい波長領域、例えば４２０ｎｍ〜４８０ｎｍ、５１０ｎｍ〜５４０ｎｍ、５８０ｎｍ〜６４０ｎｍの領域の透過率を選択的に大きくすることで、表示部が発光した光を光学フィルムが効率良く透過させることができる。
【００３４】
また、図５に示す白表示の発光スペクトラムにおいて、５８０ｎｍ〜６００ｎｍの波長領域はヘリウム、クリプトン又はネオンを含むガスによる放電であり、この領域の透過率を小さくすることで青色蛍光体、緑色蛍光体、赤色蛍光体が発光したときに各色の色純度を改善し、色再現領域を大きくすることができる。
【００３５】
図８は視感効果を示す特性図である。
５５５ｎｍ辺りが最も人が明るさを感じ、５５５ｎｍを中心にした領域で光学フィルムの透過率を小さくすると、外光を効率良く吸収しコントラスト比は大きくなるが、表示部が発光した光も吸収するため、ガス放電表示装置の明るさは小さくなる。
【００３６】
以上から、ガス放電表示装置の明るさを小さくしないで、コントラスト比を大きくするには、即ち、表示部が発光し光学フィルタ部を透過した光の強度が大きく、外光の反射強度を小さくするには、光学フィルムの透過特性で、波長４８０ｎｍ〜５１０ｎｍ及び波長５５０ｎｍ〜６２０ｎｍの領域で透過率を小さくすることで実現できる。また、これら波長４８０ｎｍ〜５１０ｎｍ及び波長５５０ｎｍ〜６２０ｎｍの領域の透過率を小さくすることで、色再現領域も広くなることが判る。
【００３７】
本発明者は、波長５５０ｎｍから波長６２０ｎｍの間で光を選択的に吸収する吸収領域において、この吸収領域内における吸収ピークの透過率ＴＰと、可視光領域における平均透過率ＴＶとに着目し、これらの平均値（半値の透過率ＴＨ＝（ＴＰ＋ＴＶ）／２）をある値以上とすることにより、高いコントラスト比を維持しつつも、明るさ（輝度）を減ずることなく色再現範囲を広くすることが可能となる。後述するように、コントラスト比、輝度、色再現性の３者について何れも犠牲にすることなく調節することを考慮するに、半値の透過率ＴＨの幅ＷＨを３０ｎｍ以上とすることを提案する。
【００３８】
なお、光学フィルタ部を、波長５５０ｎｍにおける透過率Ｔ５５０及び波長６２０ｎｍにおける透過率Ｔ６２０の半値の領域幅が２０ｎｍ以上となるように調節することが好適である。
【００３９】
図９は、本実施形態による光学フィルムの透過特性の一例（特性１）を示す特性図である。
この特性１は、選択的に吸収する領域が波長５５０ｎｍ〜６２０ｎｍで吸収領域幅が７０ｎｍ、吸収ピーク（大きく吸収する波長）が５８５ｎｍである特性であり、半値の透過率ＴＨの幅ＷＨは３２ｎｍとなる。この場合、コントラスト比、輝度、色再現性の３者について総合的に見て優れたものと評価できる。
【００４０】
ここで、本実施形態の比較例１として、図１０に光学フィルムの透過特性の一例（特性２）を示す。
この特性２は、選択的に吸収する領域が波長５７０ｎｍ〜６００ｎｍ、吸収領域幅が３０ｎｍ、吸収ピークが５８５ｎｍである特性であり、半値の透過率ＴＨの幅ＷＨは１４ｎｍとなる。この場合、コントラスト比は高い反面、明るさ（輝度）が小さく、実用的に優れたものとは言えない。
【００４１】
続いて、本実施形態の比較例２として、図１１に光学フィルムの透過特性の一例（特性３）を示す。
この特性３は、選択的に吸収する領域が波長５６５ｎｍ〜６０５ｎｍで吸収領域幅が４０ｎｍ、吸収ピークが５８５ｎｍである特性であり、可視光領域における平均透過率Ｔｖは特性２と等しいものである。半値の透過率ＴＨの幅ＷＨは１８ｎｍとなる。この場合、コントラスト比、輝度、色再現性の３者について総合的に見て優れたものとは言えない。
【００４２】
図１２は、本実施形態による光学フィルムの透過特性の一例（特性４）を示す特性図である。
この特性４は、選択的に吸収する領域が波長５４５ｎｍ〜６２５ｎｍで吸収領域幅が８０ｎｍ、吸収ピークが５８５ｎｍである特性であり、可視光領域における平均透過率Ｔｖは特性２と等しいものである。半値の透過率ＴＨの幅ＷＨは３６ｎｍとなる。この場合、コントラスト比、輝度、色再現性の３者について総合的に見て優れたものと評価できる。
【００４３】
図１３は、ガス放電表示装置の明るさを比較した、吸収領域幅と輝度との関係を示す特性図である。
ここでは、特性３，４のように、可視光領域において光学フィルムの平均透過率Ｔｖと、選択的に吸収する領域以外の領域は所定の透過率で一定であり、ネオンによる発光のピークの波長５８５ｎｍを中心に前後それぞれ５ｎｍずつ吸収領域幅Ｗを変えた場合における、ガス放電表示装置の明るさを比較している。図１３から、ガス放電表示装置の明るさは、吸収領域幅Ｗが３０ｎｍから５０ｎｍの間は波長幅が広くなるほど明るくなるが、５０ｎｍ以上からは波長幅が広くなっても、明るくなる割合が小さくなり、波長幅が８０ｎｍの場合が最も明るくなることが判る。
【００４４】
図１４は、ガス放電表示装置のコントラスト比を比較した、吸収領域幅とコントラスト比との関係を示す特性図である。
ここでは、三波長蛍光灯ランプと白色蛍光灯ランプによってガス放電表示装置へ所定の照度で照射しており、図１３と同様に前記選択的に吸収領域幅Ｗを変えた透過特性の場合の光学フィルムによるガス放電表示装置のコントラスト比を比較している。図１４から、ガス放電表示装置のコントラスト比は、外光の光源が三波長蛍光ランプの場合、吸収領域幅が大きいほうがコントラスト比も大きくなる。白色蛍光灯ランプの場合、波長幅Ｗが５０ｎｍから９０ｎｍの間は殆ど同じでコントラスト比が高くなることが判る。
【００４５】
図１５は、ガス放電表示装置のガス放電表示部において赤色蛍光体のみ発光した場合における、吸収領域幅と赤の色度との関係を示す特性図である。
ここで、光学フィルムの透過特性は、選択的に吸収領域幅Ｗを変えた透過特性である。色再現性は、ガス放電表示装置側から放射される５８０ｎｍ〜６００ｎｍの波長領域のピークをカットすることにより向上する。図１５から、吸収の領域幅Ｗが小さいほうが色再現範囲は広くなることが判る。
【００４６】
以上、図１３、図１４及び図１５から、ガス放電表示装置の発光強度が一定で且つ可視光傾城での平均透過特性が同一の場合、部色再現範囲を広く保ちつつ、ガス放電表示装置の明るさ（輝度）及びコントラスト比を大きくするには、光学フィルムの吸収する領域幅を５８５ｎｍを中心に５０ｎｍ以上７０ｎｍ以下にするのが最適である。
【００４７】
図１６は、本実施形態による光学フィルムの透過特性の一例（特性５）を示す特性図である。
この特性５は、選択的に吸収する領域が波長５５０ｎｍ〜６２０ｎｍ、吸収領域幅が７０ｎｍ、吸収ピークが５８５ｎｍにあって、吸収ピークの透過率ＴＰ対可視光領域における平均透過率Ｔｖの割合ＴＰＲ（（ＴＰ／ＴＶ）×１００（％））が０％の特性である。
【００４８】
図１７は、本実施形態による光学フィルムの透過特性の一例（特性６）を示す特性図である。
この特性６は、特性５と選択的に吸収する領域、吸収の幅、吸収ピークの波長が同じであって、吸収ピークの透過率ＴＰ対可視光領域における平均透過率Ｔｖの割合ＴＰＲが６０％の特性である。
【００４９】
図１８は、ガス放電表示装置の明るさを比較した、吸収ピークの透過率ＴＰ対可視光領域における平均透過率Ｔｖの比（ＴＰ／ＴＶ）と輝度との関係を示す特性図である。
ここでは、特性５，６のように、選択的に吸収する領域が波長５５０ｎｍ〜６２０ｎｍ、吸収領域幅が７０ｎｍ、吸収ピークが５８５ｎｍにあって、吸収ピークの透過率ＴＰ対可視光領域における平均透過率Ｔｖの割合ＴＰＲを変えた場合とガス放電表示装置の輝度との関係を示している。ＴＰＲが大きいほど、ガス放電表示装置の明るさも大きくなることが判る。
【００５０】
図１９は、ガス放電表示装置のコントラスト比を比較した、吸収ピークの透過率ＴＰ対可視光領域における平均透過率Ｔｖの比（ＴＰ／ＴＶ）とコントラスト比との関係を示す特性図である。
ここでは、三波長蛍光灯ランプと白色蛍光灯ランプによってガス放電表示装置へ所定の照度で照射しており、透過特性５，６で示したように、選択的に吸収する領域が波長５５０ｎｍ〜６２０ｎｍ、吸収領域幅が７０ｎｍ、吸収ピークが５８５ｎｍにあって、吸収ピークの透過率ＴＰ対可視光領域における平均透過率Ｔｖの割合ＴＰＲを変えた場合におけるガス放電表示装置のコントラスト比との関係を示している。白色蛍光ランプは、ＴＰＲが大きくなると、コントラスト比は小さくなる。三波長蛍光灯ランプの場合、ＴＰＲが２０％から６０％はほぼ一定のコントラスト比で、その前後０％と８０％は２０％から６０％のコントラスト比に比べて小さい。
【００５１】
図２０は、ガス放電表示装置のガス放電表示部において赤色蛍光体のみ発光した場合における、吸収ピークの透過率ＴＰ対可視光領域における平均透過率Ｔｖの比（ＴＰ／ＴＶ）と赤の色度との関係を示す特性図である。
ここで、透過特性５，６で示したように、選択的に吸収する領域が波長５５０ｎｍ〜６２０ｎｍ、吸収領域幅が７０ｎｍ、吸収ピークが５８５ｎｍにあって、吸収ピークの透過率ＴＰ対可視光領域における平均透過率Ｔｖの割合ＴＰＲを変えた場合、赤の色度との関係を示している。図２０から、吸収ピークの透過率ＴＰ対可視光領域における平均透過率Ｔｖの割合ＴＰＲが低いほど、色再現範囲は広くなる。
【００５２】
以上、図１８、図１９及び図２０から、選択的に吸収する領域と吸収領域幅及び吸収するピークの波長が同じ場合で吸収の透過率を変えた場合、ガス放電表示装置の色再現範囲を広く、明るさを強く、白色蛍光灯ランプ及び三波長蛍光ランプの光源の下でコントラスト比を大きくするには、ＴＰＲを２０％から６０％にすると良い。また、可視光領域における平均透過率Ｔｖに対する選択的に吸収する領域が波長５５０ｎｍ〜６２０ｎｍにおける平均透過率では、６０％（ＴＰＲ＝２０％）から８５％（ＴＰＲ＝６０％）になる。
【００５３】
図２１は、図９の透過特性の対応した色再現範囲を示す色度図である。
表示部が発光する青色・緑色、赤色の色度値を直線で結んだ色再現領域を点線の三角形で示し、表示部の前面に本発明による光学フィルムを設けた場合の色再現範囲を実線の三角形で示してある。光学フィルタを設けたほうが、表示部が発光する色再現領域よりも大きくなっていることが判る。
【００５４】
上述したような特性を有する光学フィルタは、厚さ２００μｍのポリエチレンフィルムに波長５８５ｎｍの光を十分に吸収する色素層を形成することにより得られる。この色素としては、吸収ピークが５９０ｎｍである１−Ｅｔｈｙｌ−４−［（１−　Ｅｔｈｙｌ−４（１Ｈ）−ｑｕｉｎｏｌｉｎｙｌｉｄｅｎｅ）ｍｅｔｈｙｌ］　ｑｕｉｎｏｌｉｎｉｕｍ　ｉｏｄｉｄｅ（株式会社　日本感光色素研究所　製品番号ＮＫ−６）、吸収ピークが５９４である３−Ｅｔｈｙｌ−２−［３−（１−　Ｅｔｈｙｌ−４（１Ｈ）−ｑｕｉｎｏｌｉｎｙｌｉｄｅｎｅ）−１−ｐｒｏｐｅｎｙｌ］　ｂｅｎｚｏｘａｚｏｌｉｕｍ　ｉｏｄｉｄｅ（株式会社　日本感光色素研究所　製品番号ＮＫ−７４１）を使用することが可能である。これらの色素及び他の色素の添加量を調整することで所望の特性が実現できる。
【００５５】
【発明の効果】
本発明のガス放電表示装置によれば、色再現範囲を広くしつつ、明るさ（輝度）を減ずることなく、照明による外光の反射を防止してコントラスト比を向上させることが実現する。
【図面の簡単な説明】
【図１】本実施形態によるガス放電表示装置の概略構成を示す断面図である。
【図２】本実施形態によるガス放電表示装置の他の例を示す断面図である。
【図３】本実施形態によるガス放電表示装置の表示パネルの内部構造を示す分解斜視図である。
【図４】ガス放電表示部で青色表示、緑色表示及び赤色表示のときの発光スペクトルを示す特性図である。
【図５】青色蛍光体、緑色蛍光体、赤色蛍光体を同時に発光させたとき、即ち白色表示をさせたときの発光スペクトラムを示す特性図である。
【図６】ネオンとキセノンの２成分ガスの発光スペクトラムを示す特性図である。
【図７】一般家庭用に市販されている代表的な照明用発光ランプの発光スペクトラムを示す特性図である。
【図８】視感効果を示す特性図である。
【図９】本実施形態による光学フィルムの透過特性の一例（特性１）を示す特性図である。
【図１０】本実施形態の比較例として、光学フィルムの透過特性の一例（特性２）を示す特性図である。
【図１１】本実際形態による光学フィルムの透過特性の一例（特性３）を示す特性図である。
【図１２】本実際形態による光学フィルムの透過特性の一例（特性４）を示す特性図である。
【図１３】ガス放電表示装置の明るさを比較した、吸収領域幅と輝度との関係を示す特性図である。
【図１４】ガス放電表示装置のコントラスト比を比較した、吸収領域幅とコントラスト比との関係を示す特性図である。
【図１５】ガス放電表示装置のガス放電表示部において赤色蛍光体のみ発光した場合における、吸収領域幅と赤の色度との関係を示す特性図である。
【図１６】本実施形態による光学フィルムの透過特性の一例（特性５）を示す特性図である。
【図１７】本実施形態による光学フィルムの透過特性の一例（特性６）を示す特性図である。
【図１８】ガス放電表示装置の明るさを比較した、平均透過率Ｔｖ対吸収ピークの透過率ＴＰの比（ＴＶ／ＴＰ）と輝度との関係を示す特性図である。
【図１９】ガス放電表示装置のコントラスト比を比較した、平均透過率Ｔｖ対吸収ピークの透過率ＴＰの比（ＴＶ／ＴＰ）とコントラスト比との関係を示す特性図である。
【図２０】ガス放電表示装置のガス放電表示部において赤色蛍光体のみ発光した場合における、平均透過率Ｔｖ対吸収ピークの透過率ＴＰの比（ＴＶ／ＴＰ）と赤の色度との関係を示す特性図である。
【図２１】図９の透過特性の対応した色再現範囲を示す色度図である。
【符号の説明】
１００，１００ａ，１００ｂ　ガス放電表示装置
１０１　ガス放電表示部
１０１ａ　表示パネル
１０１ｂ　駆動回路
１０２　光学フィルタ部
１０２ａ　光学フィルム
１０２ｂ　前面板
１０３　外装カバー部
【図１】
2004101916.tif 000004
【図２】
2004101916.tif 000005
【図３】
2004101916.tif 000006
【図４】
2004101916.tif 000007
【図５】
2004101916.tif 000008
【図６】
2004101916.tif 000009
【図７】
2004101916.tif 000010
【図８】
2004101916.tif 000011
【図９】
2004101916.tif 000012
【図１０】
2004101916.tif 000013
【図１１】
2004101916.tif 000014
【図１２】
2004101916.tif 000015
【図１３】
2004101916.tif 000016
【図１４】
2004101916.tif 000017
【図１５】
2004101916.tif 000018
【図１６】
2004101916.tif 000019
【図１７】
2004101916.tif 000020
【図１８】
2004101916.tif 000021
【図１９】
2004101916.tif 000022
【図２０】
2004101916.tif 000023
【図２１】
2004101916.tif 000024